【事件の表示】
　平成　８年特許願第１４５２４３号「データ作成方法およびその方法によるデータ作成機能を備えた電子部品実装装置」拒絶査定不服審判事件〔平成　９年１２月１６日出願公開、特開平　９−３２６５９７〕について、次のとおり審決する。
【結　論】
　本件審判の請求は、成り立たない。
【理　由】
１．手続の経緯
　本件審判に係る出願は、平成８年６月７日に出願されたものであって、その願書に添付した明細書又は図面についての平成１８年７月１８日付け手続補正がなされた後、同年８月４日付けで拒絶査定されたものである。
　そして、本件審判は、この拒絶査定を不服として請求されたものであって、上記明細書又は図面についての平成１８年９月７日付け手続補正がなされたものの、該手続補正は、平成２０年５月３０日付けで補正の却下の決定がなされると共に、同日付け拒絶理由通知書が発送され、これに対して上記明細書又は図面についての同年８月４日付け手続補正がなされている。
　なお、上記決定は、確定している。
　
２．拒絶理由の内容
　平成２０年５月３０日付け拒絶理由通知書で示した拒絶理由は、概要、以下の拒絶理由Ａである。
　
拒絶理由Ａ；本件出願は、特許法第３６条第４項又は第６項に規定する要件を満たさない。
　
　そして、拒絶理由通知書には、「必要に応じて、合議体に対し、事前に、面接により、発明内容及び明細書記載事項の説明をされたい。」との記載があるが、面接が実施されたとの事実はない。
　
３．当審の判断
　拒絶理由Ａの妥当性について検討する。
　
３−１．特許請求の範囲の記載
　本件出願の願書に添付した明細書又は図面の、特許請求の範囲請求項１の記載は、以下のとおりのものと認める。
　
　「プリント基板上の複数の所定位置のうちの１つに、テーブル上に複数並べた治具から供給される予め定められた電子部品を実装する際に、当該電子部品を実装する順序と実装すべき前記プリント基板上の位置の座標と当該電子部品が供給される位置を関連付けて１つの実装ブロックとし、この実装ブロックを複数組み合わせて、電子部品の実装に用いるデータの一部として構成されたＮＣプログラムを有するとともに、そのＮＣプログラムに従って、前記電子部品が供給される位置と電子部品の種類を対応付けるデータを参照することにより、前記プリント基板上の複数の所定の位置に予め定められた電子部品を実装する電子部品実装装置において、
　プリント基板への電子部品の実装動作中に部品切れが発生した際に、部品切れした電子部品を補充せずにその他の電子部品の実装を継続し、その他の電子部品の実装が終了した後に前記部品切れした電子部品のみを実装するためのデータを作成するデータ作成方法であって、
　前記実装動作中に部品切れが発生した際に、オペレータによって、当該部品切れとなった電子部品が供給される位置が指定されると、
　その位置指定に従って、前記部品切れとなった電子部品が供給される位置に関連付けられた実装ブロックを全て抽出し、それらの実装ブロックを用いて新たなＮＣプログラムを生成するステップと、
　前記部品切れの発生とは別のタイミングで別の部品の部品切れが発生した際に、オペレータによって、当該部品切れとなった電子部品が供給される位置が指定されると、
　その位置指定に従って、前記別の部品切れとなった電子部品が供給される位置に関連付けられた実装ブロックを全て抽出し、それらの実装ブロックを、先に生成した前記新たなＮＣプログラムに追加して、別の新たなＮＣプログラムを生成するステップとを備えたデータ作成方法。」
　
３−２．検討
　
（１）特許請求の範囲請求項１に記載の発明と、発明の詳細な説明に記載の発明との関係について検討する。
　
１）発明の詳細な説明には、以下の記載が認められる。
　
　「【０００１】
【発明の属する技術分野】
　本発明は、部品実装がスキップされた実装ブロックに対するデータを作成するデータ作成方法及びその方法によるデータ作成機能を備えた電子部品実装装置に関するものである。」
　
　「【００１４】
【発明が解決しようとする課題】
　しかしながら上記のような従来のデータ作成方法では、スキップされた実装ブロックで実装されるべき電子部品のみを実装するＮＣプログラムの作成に際して、オペレータが部品実装をスキップさせるために入力したＺ番号を基に、手作業で元のＮＣプログラムを編集して作成するか、または新規に作成することになるため、スキップ部分に対応する電子部品のみを実装するための正確なＮＣプログラムが迅速に作成できないという問題点を有していた。
【００１５】
　また、スキップするＺ番号は部品切れが発生した状態でのみ入力が可能であり、かつ複数個の設定を許すため、生産中のデータに対してどのタイミングでどのＺ番号をスキップしたかをオペレータが正確に把握しておかなければ、後に未実装部分の部品実装に際してデータを複数作成しそれらをプリント基板の生産単位に応じて随時切り換えるという操作がより煩雑になり、操作ミスの原因になりやすいという問題点を有していた。
【００１６】
　本発明は、上記従来の問題点を解決するもので、未実装部分を反映した正確なＮＣプログラムが、オペレータによる手作業により作成することなく得られ、未実装部分における部品実装の際のオペレータの操作を軽減するとともに、部品切れのためにスキップ指定した実装ブロックで実装される電子部品のみを容易に実装することができ、未実装部分の生産を効率的に行うことができるデータ作成方法及びその方法によるデータ作成機能を備えた電子部品実装装置を提供する。」
　
　「【００３０】
【発明の効果】
　以上のように本発明によれば、部品切れのために実装ブロックをスキップ指定した際に、スキップ指定した実装ブロックのみを有効とするＮＣプログラムを自動的に生成し、その後に品切れした電子部品が用意できた際に、このＮＣプログラムを用いて未実装部分のみの生産を行うことができる。
【００３１】
　そのため、未実装部分を反映した正確なＮＣプログラムが、オペレータによる手作業により作成することなく得られ、未実装部分における部品実装の際のオペレータの操作を軽減するとともに、部品切れのためにスキップ指定した実装ブロックで実装される電子部品のみを容易に実装することができ、未実装部分の生産を効率的に行うことができる。
【００３２】
　また、部品切れとしてスキップするＺ番号を入力した時点で該当するブロックの実装を保証するＮＣプログラムを確実に生成して保持し、従来までオペレータの操作に依存していたデータの作成が機械的に行うことができる。」
　
　発明の詳細な説明において記載する発明は、これらの記載などによれば、データ作成方法及びその方法によるデータ作成機能を備えた電子部品実装装置に係るもので、電子部品の実装に使用されるＮＣプログラムの作成に関し、オペレータが実質的に作成していた従来技術の問題を解決することを目的に、上記ＮＣプログラムの作成の、少なくとも、多くの部分を機械的に行うというものと認められる。
　
２）そこで、特許請求の範囲請求項１の記載をみると、後に「（２）」で述べるように、この記載は不明確ながら、ＮＣプログラムの作成に関しては、「プリント基板への電子部品の実装動作中に部品切れが発生した際に、部品切れした電子部品を補充せずにその他の電子部品の実装を継続し、その他の電子部品の実装が終了した後に前記部品切れした電子部品のみを実装するためのデータを作成するデータ作成方法であって、前記実装動作中に部品切れが発生した際に、オペレータによって、当該部品切れとなった電子部品が供給される位置が指定されると、その位置指定に従って、前記部品切れとなった電子部品が供給される位置に関連付けられた実装ブロックを全て抽出し、それらの実装ブロックを用いて新たなＮＣプログラムを生成するステップと、前記部品切れの発生とは別のタイミングで別の部品の部品切れが発生した際に、オペレータによって、当該部品切れとなった電子部品が供給される位置が指定されると、その位置指定に従って、前記別の部品切れとなった電子部品が供給される位置に関連付けられた実装ブロックを全て抽出し、それらの実装ブロックを、先に生成した前記新たなＮＣプログラムに追加して、別の新たなＮＣプログラムを生成するステップとを備えたデータ作成方法」とあるだけで、例えば、「その位置指定に従って、前記部品切れとなった電子部品が供給される位置に関連付けられた実装ブロックを全て抽出し、それらの実装ブロックを用いて新たなＮＣプログラムを生成するステップ」や「その位置指定に従って、前記別の部品切れとなった電子部品が供給される位置に関連付けられた実装ブロックを全て抽出し、それらの実装ブロックを、先に生成した前記新たなＮＣプログラムに追加して、別の新たなＮＣプログラムを生成するステップ」に装置上の構成が記載されている訳ではない。
　
３）してみると、特許請求の範囲請求項１に記載の発明は、上述したように、ＮＣプログラムの作成の、少なくとも、多くの部分を機械的に行うという、発明の詳細な説明において記載する発明とはいえない。
　
（２）特許請求の範囲請求項１の記載に関連した明細書の記載について検討する。
　
１）請求項１には、「プリント基板上の複数の所定位置のうちの１つに、テーブル上に複数並べた治具から供給される予め定められた電子部品を実装する際に、当該電子部品を実装する順序と実装すべき前記プリント基板上の位置の座標と当該電子部品が供給される位置を関連付けて１つの実装ブロックとし、この実装ブロックを複数組み合わせて、電子部品の実装に用いるデータの一部として構成されたＮＣプログラムを有するとともに、そのＮＣプログラムに従って、前記電子部品が供給される位置と電子部品の種類を対応付けるデータを参照することにより、前記プリント基板上の複数の所定の位置に予め定められた電子部品を実装する電子部品実装装置において、」（以下、「本件記載Ａ」という。）との記載がある。
　
２）そこで、本件記載Ａに記載の電子部品実装装置の技術的内容を検討すると、該内容が不明確である。
　
２−１）まず、本件記載Ａには、「電子部品が供給される位置」との記載があり、この記載からは、一応、電子部品を供給する供給源の位置と、電子部品が供給される供給先の位置との、２つの解釈が成り立つが、同項の記載からは、後者の記載であると解される。その理由は、以下のとおりである。
　本件記載Ａには、電子部品の供給に関する事項として、「電子部品が供給される位置」の記載以外には、「テーブル上に複数並べた治具から供給される予め定められた電子部品を実装する際に、」との記載だけが認められ、ここには、電子部品を供給する供給源として治具が記載され、上記「電子部品が供給される位置」が供給源の位置という意味であるならば、「電子部品が供給される治具の位置」と記載すれば足りるのであって、わざわざ、用語句を変えて記載する必要はないし、また、「電子部品が供給される治具」との技術的関係も不明確にしている。
　以上の検討を踏まえ、上記「電子部品が供給される位置」の技術的内容を検討すると、これは、治具からプリント基板上の所定位置に至る間の、治具の位置を除き、また、この治具の位置が除かれる理由と同様の理由からプリント基板上の所定位置を除く、電子部品実装装置上に於ける電子部品の位置の意味と解せるが、このような意味での「電子部品が供給される位置」、更には、これと「電子部品を実装する順序」や「実装すべき前記プリント基板上の位置の座標」を関連付けて１つの実装ブロックとしたものは、発明の詳細な説明に、実質的に、記載がない。
　念のために、発明の詳細な説明を見ると、ここには、「【０００４】・・・（審決注；「・・・」は、記載の省略を示す。）、５は電子部品を供給するためのテーブルであり、このテーブル５は、電子部品を装着する治具（以下、カセットと記載する）の位置を識別するための一意な番号（以下、Ｚ番号とする）を持つ。【０００５】図４は部品実装の際に必要なデータの一部を構成するＮＣプログラムの一例である。図４において、６は電子部品を実装する順序（以下、順序毎にブロックという）、７は電子部品を実装する位置であり、Ｘ，Ｙの各座標で表される２次元の位置座標、８はテーブル５が持つＺ番号である。」との記載が認められ、ここに記載の「ブロック」は、本件記載Ａに記載の「実装ブロック」に相当すると推察されるが、図４を参照しつつ、この記載によれば、実装ブロックは、少なくとも、「テーブルが持つ、電子部品を装着する治具の位置を識別するための一意な番号であるＺ番号」を有するものが記載されているので、「電子部品が供給される位置」を有している訳ではないが、いずれにしても、上述したように、上記１つの実装ブロックとしたものは、発明の詳細な説明に、記載がないことに変わりはない。
　
２−２）本件記載Ａには、「そのＮＣプログラムに従って、前記電子部品が供給される位置と電子部品の種類を対応付けるデータを参照することにより、前記プリント基板上の複数の所定の位置に予め定められた電子部品を実装する」とあり、電子部品を実装するに際してＮＣプログラムに従うだけでなく、電子部品が供給される位置と電子部品の種類を対応付けるデータを参照することとしているが、「参照」の内容が不明なために、ここに記載の内容が、まとまりのある技術的思想を表しておらず、いわゆる、発明特定事項として不明確である。
　そもそも、「電子部品が供給される位置」については、先に「２−１）」で述べたように、発明の詳細な説明に、実質的に、記載がないのであるが、これと電子部品の種類を対応付けるデータを参照して電子部品を実装する電子部品実装装置も、実質的に、記載がなく、そうであることから、発明の詳細な説明は、上述した、電子部品が供給される位置と電子部品の種類を対応付けるデータを参照することを実施できるように記載が為されていない。
　
３−３．まとめ
　以上述べたことから、発明の詳細な説明は、その発明の属する技術の分野における通常の知識を有する者がその実施をすることができる程度に明確かつ十分に記載されているとはいえず、また、特許請求の範囲の記載は、特許を受けようとする発明が発明の詳細な説明に記載したものであること、及び、特許を受けようとする発明が明確であることに適合するとはいえないから、本件出願は、特許法第３６条第４項又は第６項の規定に違反するものである。
　
４．むすび
　拒絶理由Ａは、妥当である。
　よって、結論のとおり審決する。